(57)【要約】【課題】表示範囲を変更する画像処理を容易に行なって利便性を高めることが可能なディスプレイ端末、画像処理システム、及び画像処理方法を提供する。【解決手段】タッチパネル１１を備え、タッチ入力に基づく画像表示処理を行うタッチパネル端末１であって、ＤＯＷＮイベントを検出した後に所定時間以上ＵＰイベントを検出しない長押しイベントが発生したか否かを判定する継続判定部１２と、継続判定部１２により長押しイベントが発生したと判定された場合に、ＤＯＷＮイベントの座標位置を中心とした所定領域の画像を縮小表示して表示範囲を変更してディスプレイ１０６において表示する継続タッチ表示部１３と、を備える。【選択図】図４
2011022851.tif 000002
【特許請求の範囲】
【請求項１】
タッチパネルを備え、タッチ入力に基づく画像表示処理を行うディスプレイ端末であって、
タッチオン入力を検出した後に所定時間以上タッチオフ入力を検出しない継続タッチイベントが発生したか否かを判定する継続判定手段と、
前記継続判定手段により前記継続タッチイベントが発生したと判定された場合に、前記タッチオン入力の座標位置を中心とした所定領域の画像の表示範囲を変更してディスプレイにおいて表示する継続イベント表示手段と、
を備えることを特徴とするディスプレイ端末。
【請求項２】
前記継続判定手段は、前記タッチオン入力を検出した後の当該タッチオン入力の移動量が所定閾値以下である場合に、前記継続タッチイベントが発生したと判定する、ことを特徴とする請求項１に記載のディスプレイ端末。
【請求項３】
タッチパネルを備え、タッチ入力に基づく画像表示処理を行うディスプレイ端末であって、
一回目のタッチオン入力の後のタッチオフ入力を検出した後に所定時間以内に二回目のタッチオン入力を検出する連続タッチイベントが発生したか否かを判定する連続判定手段と、
前記連続判定手段により前記連続タッチイベントが発生したと判定された場合に、前記一回目のタッチオン入力の座標位置を中心とした所定領域の画像の表示範囲を変更してディスプレイにおいて表示する連続イベント表示手段と、
を備えることを特徴とするディスプレイ端末。
【請求項４】
前記連続判定手段は、前記一回目のタッチオン入力から前記二回目のタッチオン入力までの移動量が所定閾値以下である場合に、前記連続タッチイベントが発生したと判定する、ことを特徴とする請求項３に記載のディスプレイ端末。
【請求項５】
請求項１〜４のいずれかに記載のディスプレイ端末と、
前記ディスプレイ端末と通信接続された遠隔端末と、を備え、
前記ディスプレイ端末は、前記遠隔端末において表示される画面について前記画像表示処理を行って前記ディスプレイにおいて表示する、ことを特徴とする画像処理システム。
【請求項６】
タッチパネルを備え、タッチ入力に基づく画像表示処理を行うディスプレイ端末が行なう画像処理方法であって、
前記ディスプレイ端末が、タッチオン入力を検出した後に所定時間以上タッチオフ入力を検出しない継続タッチイベントが発生したか否かを判定する継続判定ステップと、
前記継続判定ステップで前記継続タッチイベントが発生したと判定された場合に、前記ディスプレイ端末が、前記タッチオン入力の座標位置を中心とした所定領域の画像の表示範囲を変更してディスプレイにおいて表示する継続イベント表示ステップと、
を有することを特徴とする画像処理方法。
【請求項７】
タッチパネルを備え、タッチ入力に基づく画像表示処理を行うディスプレイ端末が行なう画像処理方法であって、
前記ディスプレイ端末が、一回目のタッチオン入力の後のタッチオフ入力を検出した後に所定時間以内に二回目のタッチオン入力を検出する連続タッチイベントが発生したか否かを判定する連続判定ステップと、
前記連続判定ステップで前記連続タッチイベントが発生したと判定された場合に、前記ディスプレイ端末が、前記一回目のタッチオン入力の座標位置を中心とした所定領域の画像の表示範囲を変更してディスプレイにおいて表示する連続イベント表示ステップと、
を有することを特徴とする画像処理方法。
【発明の詳細な説明】
【技術分野】
【０００１】
本発明は、タッチパネルを備え、タッチ入力に基づく画像表示処理を行うディスプレイ端末と、当該ディスプレイ端末を備えた画像処理システムと、当該ディスプレイ端末が行なう画像処理方法とに関する。
【背景技術】
【０００２】
従来、タッチパネルを備えた装置が提案されている。例えば、特許文献１には、指をタッチさせて入力する際に、隣接する入力キーを同時にタッチしてしまうことを減少させ、確実に入力操作を行えるようにするタッチパネル装置が開示されている。
【先行技術文献】
【特許文献】
【０００３】
【特許文献１】特開２００５−５０２６５号公報
【発明の概要】
【発明が解決しようとする課題】
【０００４】
近年、タッチパネルを備えた小型の画像表示端末を用いて、当該画像表示端末と通信接続された遠隔端末をより容易に遠隔操作できるようにすることの要請が高まっている。遠隔端末をより容易に遠隔操作できるようにするには、表示画面のサイズが制限されている小型の画像表示端末における表示対象の拡大や縮小といった表示範囲を変更する画像処理が容易に可能であることが必要である。しかしながら、上記の特許文献１に記載のタッチパネル装置では、このような表示範囲を変更する画像処理に関してはなんら考慮されていないため、利便性が低い。
【０００５】
そこで本発明は、上記問題点を解消する為になされたものであり、表示範囲を変更する画像処理を容易に行なって利便性を高めることが可能なディスプレイ端末、画像処理システム、及び画像処理方法を提供することを目的とする。
【課題を解決するための手段】
【０００６】
発明者らは、上記した目的を達成するため鋭意検討し、表示範囲を変更する画像処理を容易に行なって利便性を高めることが可能なディスプレイ端末、画像処理システム、及び画像処理方法を発明した。
【０００７】
即ち、本発明に係るディスプレイ端末は、タッチパネルを備え、タッチ入力に基づく画像表示処理を行うディスプレイ端末であって、タッチオン入力を検出した後に所定時間以上タッチオフ入力を検出しない継続タッチイベントが発生したか否かを判定する継続判定手段と、継続判定手段により継続タッチイベントが発生したと判定された場合に、タッチオン入力の座標位置を中心とした所定領域の画像の表示範囲を変更してディスプレイにおいて表示する継続イベント表示手段と、を備えることを特徴とする。
【０００８】
本発明に係るディスプレイ端末は、タッチオン入力を検出した後に所定時間以上タッチオフ入力を検出しない継続タッチイベントが発生したと判定された場合に、タッチオン入力の座標位置を中心とした所定領域の画像の表示範囲を変更してディスプレイにおいて拡大表示や縮小表示する。このように、継続タッチイベントの発生によって、拡大表示や縮小表示といった、表示範囲を変更する画像処理が容易に行われるため、利便性を高めることができる。
【０００９】
また、継続判定手段は、タッチオン入力を検出した後の当該タッチオン入力の移動量が所定閾値以下である場合に、継続タッチイベントが発生したと判定するのも好ましい。これにより、タッチオン入力を検出した後に当該タッチオン入力の移動があった場合でも、移動量が所定閾値以下であれば、継続タッチイベントが発生したと判定される。このため、継続タッチイベント中にタッチオン入力の移動が多少あっても継続タッチイベントが発生したと判定される。この結果、継続タッチイベントが容易になるため、利便性を更に高めることができる。
【００１０】
本発明に係るディスプレイ端末は、タッチパネルを備え、タッチ入力に基づく画像表示処理を行うディスプレイ端末であって、一回目のタッチオン入力の後のタッチオフ入力を検出した後に所定時間以内に二回目のタッチオン入力を検出する連続タッチイベントが発生したか否かを判定する連続判定手段と、連続判定手段により連続タッチイベントが発生したと判定された場合に、一回目のタッチオン入力の座標位置を中心とした所定領域の画像の表示範囲を変更してディスプレイにおいて表示する連続イベント表示手段と、を備えることを特徴とする。
【００１１】
本発明に係るディスプレイ端末は、一回目のタッチオン入力の後のタッチオフ入力を検出した後に所定時間以内に二回目のタッチオン入力を検出する連続タッチイベントが発生したと判定された場合に、一回目のタッチオン入力の座標位置を中心とした所定領域の画像の表示範囲を変更してディスプレイにおいて拡大表示や縮小表示する。このように、連続タッチイベントの発生によって、拡大表示や縮小表示といった、表示範囲を変更する画像処理が容易に行われるため、利便性を高めることができる。
【００１２】
また、連続判定手段は、一回目のタッチオン入力から二回目のタッチオン入力までの移動量が所定閾値以下である場合に、連続タッチイベントが発生したと判定するのも好ましい。これにより、一回目のタッチオン入力から二回目のタッチオン入力までの間に移動があった場合でも、移動量が所定閾値以下であれば、連続タッチイベントが発生したと判定される。このため、所定時間以内にタッチオン入力が二回行われた際にタッチオン入力の移動が多少あっても連続タッチイベントが発生したと判定される。この結果、連続タッチイベントが容易になるため、利便性を更に高めることができる。
【００１３】
本発明に係る画像処理システムは、上記のいずれかのディスプレイ端末と、ディスプレイ端末と通信接続された遠隔端末と、を備え、ディスプレイ端末は、遠隔端末において表示される画面について画像表示処理を行ってディスプレイにおいて表示する、ことを特徴とする。
【００１４】
本発明に係る画像処理システムが備えるディスプレイ端末は、遠隔端末において表示される画面について画像表示処理を行ってディスプレイにおいて表示する。このため、遠隔端末において表示される画面について、ディスプレイ端末によって、拡大表示や縮小表示といった画像表示処理が行われてディスプレイにおいて表示されるため、利便性を高めることができる。
【００１５】
本発明に係る画像処理方法は、タッチパネルを備え、タッチ入力に基づく画像表示処理を行うディスプレイ端末が行なう画像処理方法であって、ディスプレイ端末が、タッチオン入力を検出した後に所定時間以上タッチオフ入力を検出しない継続タッチイベントが発生したか否かを判定する継続判定ステップと、継続判定ステップで継続タッチイベントが発生したと判定された場合に、ディスプレイ端末が、タッチオン入力の座標位置を中心とした所定領域の画像の表示範囲を変更してディスプレイにおいて表示する継続イベント表示ステップと、を有することを特徴とする。
【００１６】
本発明に係る画像処理方法は、タッチオン入力を検出した後に所定時間以上タッチオフ入力を検出しない継続タッチイベントが発生したと判定された場合に、タッチオン入力の座標位置を中心とした所定領域の画像の表示範囲を変更してディスプレイにおいて拡大表示や縮小表示する。このように、継続タッチイベントの発生によって、拡大表示や縮小表示といった、表示範囲を変更する画像処理が容易に行われるため、利便性を高めることができる。
【００１７】
本発明に係る画像処理方法は、タッチパネルを備え、タッチ入力に基づく画像表示処理を行うディスプレイ端末が行なう画像処理方法であって、ディスプレイ端末が、一回目のタッチオン入力の後のタッチオフ入力を検出した後に所定時間以内に二回目のタッチオン入力を検出する連続タッチイベントが発生したか否かを判定する連続判定ステップと、連続判定ステップで連続タッチイベントが発生したと判定された場合に、ディスプレイ端末が、一回目のタッチオン入力の座標位置を中心とした所定領域の画像の表示範囲を変更してディスプレイにおいて表示する連続イベント表示ステップと、を有することを特徴とする。
【００１８】
本発明に係る画像処理方法は、一回目のタッチオン入力の後のタッチオフ入力を検出した後に所定時間以内に二回目のタッチオン入力を検出する連続タッチイベントが発生したと判定された場合に、一回目のタッチオン入力の座標位置を中心とした所定領域の画像の表示範囲を変更してディスプレイにおいて拡大表示や縮小表示する。このように、連続タッチイベントの発生によって、拡大表示や縮小表示といった、表示範囲を変更する画像処理が容易に行われるため、利便性を高めることができる。
【発明の効果】
【００１９】
本発明によれば、表示範囲を変更する画像処理を容易に行なって利便性を高めることが可能なディスプレイ端末、画像処理システム、及び画像処理方法を提供することができる。
【図面の簡単な説明】
【００２０】
【図１】本実施形態に係る画像処理システムの全体構成を説明するためのシステム構成図である。
【図２】タッチパネル端末の主な機能構成の概略を説明するための機能構成図である。
【図３】タッチパネル端末の主な物理構成の概略を説明するための物理構成図である。
【図４】縮小表示処理の詳細を説明するための処理説明図である。
【図５】拡大表示処理の詳細を説明するための処理説明図である。
【図６】タッチパネルにおける位置座標と大型ディスプレイにおける位置座標との対応関係を説明するための説明図である。
【図７】ユーザによる操作の切り替え方法を説明するための説明図である。
【図８】タッチパネル端末における画像処理の流れを説明するためのフローチャートである。
【発明を実施するための形態】
【００２１】
以下、添付図面を参照しながら本発明の好適な実施形態を説明する。なお、図面の説明において同一要素には同一符号を付し、重複する説明を省略する。
【００２２】
（１）画像処理システムの構成
まず、本実施形態に係る画像処理システムの構成について、図１を用いて説明する。図１は、本実施形態に係る画像処理システム１００の全体構成を説明するためのシステム構成図である。画像処理システム１００は、タッチパネル端末１と、このタッチパネル端末１とネットワークＮＷを介して通信接続された遠隔端末２とを備えており、タッチパネル端末１が、遠隔端末２において表示される画面について画像表示処理を行ってタッチパネル端末１のディスプレイにおいて表示することが可能なシステムである。ネットワークＮＷは、無線ＬＡＮ通信網、携帯電話通信網、インターネット（公衆ＩＰ網）、簡易携帯電話（ＰＨＳ）網等から構成される通信網である。
【００２３】
ここで、タッチパネル端末１は、タッチパネル１１を備え、ユーザによるタッチ入力に基づく画像表示処理を行うディスプレイ端末であれば特に限定されず、例えば、タッチパネルを搭載した携帯電話機やＰＤＡ等である。また、遠隔端末２は、タッチパネル端末１とネットワークＮＷを介して通信可能な遠隔操作対象端末であれば特に限定されず、例えば、パーソナルコンピュータやサーバ管理用端末等である。通常、タッチパネル端末１及び遠隔端末２には、上記の遠隔操作を可能にするための共通のＶＮＣ（バーチャルネットワークコンピューティング）ソフトウェアがインストールされている。
【００２４】
画像処理システム１００に関して、より詳しくは、タッチパネル端末１は、遠隔端末２の大型ディスプレイ２１において表示される画面について、タッチパネル１１に対するユーザによるタッチ入力に基づく拡大表示や縮小表示といった画像表示処理を行って、タッチパネル端末１のディスプレイにおいて表示する。
【００２５】
（２）タッチパネル端末の構成
引き続き、本実施形態に係るタッチパネル端末１の構成について、図２及び図３を用いて説明する。図２は、タッチパネル端末１の主な機能構成の概略を説明するための機能構成図であり、図３は、タッチパネル端末１の主な物理構成の概略を説明するための物理構成図である。
【００２６】
タッチパネル端末１は、図３に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、アンテナ１０７、及びタッチパネル１１等のハードウェアにより構成されている小型のコンピュータ端末である。これらの構成要素が動作することにより、タッチパネル端末１が有する各機能が発揮される。タッチパネル端末１は、図２に示されるように、主な機能的な構成要素として、継続判定部１２（継続判定手段）、継続タッチ表示部１３（継続タッチ表示手段）、連続判定部１４（連続判定手段）、及び連続タッチ表示部１５（連続タッチ表示手段）を備えて構成されている。
【００２７】
継続判定部１２は、タッチパネル１１に対するユーザによる長押しイベントが発生したか否かを判定する判定演算処理を行う部分である。この長押しイベントとは、ユーザによるＤＯＷＮイベント（即ち、指先がパネルに接触するというタッチオン入力）が検出された後に所定時間ｔ１（例えば数ｍｓｅｃ）以上ＵＰイベント（即ち、指先がパネルから離れるというタッチオフ入力）が検出されない継続タッチイベントのことである。
【００２８】
なお、継続判定部１２は、ＤＯＷＮイベントを検出した後のこのＤＯＷＮイベントの移動量ｄ１が所定閾値Ｔ１以下である場合に、長押しイベントが発生したと判定する。この所定閾値Ｔ１は、数ｍｍであるのが好ましく、例えば８ｍｍ（ドット換算で４０ドット）とするのが最も好ましい。また、ＤＯＷＮイベントを検出した後のこのＤＯＷＮイベントの移動先が一辺８ｍｍの正方形の内側である場合に、継続判定部１２は、長押しイベントが発生したと判定してもよい。
【００２９】
一方、ＤＯＷＮイベントを検出した後のこのＤＯＷＮイベントの移動量ｄ１が所定閾値Ｔ１より大きい場合、継続判定部１２は、継続タッチイベントではなく、ＭＯＶＥイベント（即ち、指先がパネルに接触したまま移動するというタッチ継続入力）が発生したと判定する。
【００３０】
継続タッチ表示部１３は、継続判定部１２により長押しイベントが発生した（又は発生中である）と判定された場合に、最初にＤＯＷＮイベントが行なわれた座標位置を含む（又は、この座標位置を中心とした）所定領域の画像の表示範囲を変更してディスプレイ１０６において表示する表示処理を行う部分である。継続タッチ表示部１３は、この表示処理を、長押しイベントの発生時間に応じた長さの時間だけ行う。
【００３１】
例えば、継続タッチ表示部１３は、長押しイベントが発生したと判定された場合に、最初にＤＯＷＮイベントが行なわれた座標位置を中心とした所定領域の画像を縮小表示（ズームアウト）する。継続タッチ表示部１３による縮小表示処理の詳細については、後述する。なお、何倍に縮小表示するかを示す拡縮率は、タッチパネル端末１内部に記憶され、変更設定が可能な数値であるが、最小値は、大型ディスプレイ２１に表示される画面内容の全てがディスプレイ１０６に縮小表示可能となるように設定された値である。
【００３２】
連続判定部１４は、タッチパネル１１に対するユーザによるダブルタップイベントが発生したか否かを判定する判定演算処理を行う部分である。このダブルタップイベントとは、ユーザによる一回目のＤＯＷＮイベントの後のＵＰイベントが検出された後に所定時間ｔ２（例えば数ｍｓｅｃ）以内に二回目のＤＯＷＮイベントが検出された連続タッチイベントのことである。
【００３３】
なお、連続判定部１４は、一回目のＤＯＷＮイベントから二回目のＤＯＷＮイベントまでの移動量ｄ２が所定閾値Ｔ２以下である場合に、ダブルタップイベントが発生したと判定する。この所定閾値Ｔ２は、数ｍｍであるのが好ましく、例えば１２ｍｍ（ドット換算で６０ドット）であるのが最も好ましい。また、一回目のＤＯＷＮイベントから二回目のＤＯＷＮイベントまでの移動先が一辺１２ｍｍの正方形の内側である場合に、連続判定部１４は、ダブルタップイベントが発生したと判定してもよい。
【００３４】
所定閾値Ｔ１は例えば８ｍｍとするのが最も好ましいとするとともに、所定閾値Ｔ２は例えば１２ｍｍとするのが最も好ましいとした。このように、最も好ましい所定閾値Ｔ２が、最も好ましい所定閾値Ｔ１よりも大きいのは、以下の理由による。即ち、ＭＯＶＥイベントは通常、画面のスクロール操作に利用されているのにも関わらず、比較的小さい移動量のＭＯＶＥイベントをＭＯＶＥイベントとして判定せずに長押しイベントとして判定する処理を行う構成とした場合、比較的小さい移動量のスクロール操作が困難になる。ここで、所定閾値Ｔ１が大き過ぎる場合、比較的小さい移動量のスクロール操作が行われると、長押しイベントが発生したと誤って判定されてしまいやすくなる。この結果、所定閾値Ｔ１は、より小さい方が好ましい。
【００３５】
一方、ダブルタップイベントは、ＭＯＶＥイベントとは無関係であることから、一回目のＤＯＷＮイベントの発生位置と、二回目のＤＯＷＮイベントの発生位置との差分（即ち移動量）が、タッチパネル１１上で検出可能な程度に所定閾値Ｔ２が規定されればよい。ただし、所定閾値Ｔ２も大きすぎる場合、ユーザにとってダブルタップイベントのつもりがないのにダブルタップイベントが発生したと誤って判定されてしまいやすくなる。この結果、所定閾値Ｔ２は、やや小さい方が好ましいが、可能な限り小さくする必要性がないため、所定閾値Ｔ２は所定閾値Ｔ１よりも大きい。
【００３６】
連続タッチ表示部１５は、連続判定部１４によりダブルタップイベントが発生した（又は発生中である）と判定された場合に、一回目のＤＯＷＮイベントの座標位置を含む（又は、この座標位置を中心とした）所定領域の画像の表示範囲を変更してディスプレイ１０６において表示する表示処理を行う部分である。連続タッチ表示部１５は、この表示処理を、ダブルタップイベントの発生時間に応じた長さの時間だけ行なう。
【００３７】
例えば、連続タッチ表示部１５は、ダブルタップイベントが発生したと判定された場合に、一回目のＤＯＷＮイベントが行なわれた座標位置を中心とした所定領域の画像を拡大表示（ズームイン）する。連続タッチ表示部１５による拡大表示処理の詳細については、後述する。なお、何倍に拡大表示するかを示す拡縮率は、タッチパネル端末１内部に記憶され、変更設定が可能な数値であるが、最大値は、過度の拡大表示とならないように設定された値である。
【００３８】
（３）縮小表示処理の詳細
引き続き、継続タッチ表示部１３による縮小表示処理の詳細について、図４を用いて説明する。図４は、継続タッチ表示部１３による縮小表示処理の詳細を説明するための処理説明図である。まず、図４（ａ）に示すように、遠隔端末２の大型ディスプレイ２１において表示される画面の内容に関する情報（即ち、文字１〜１０）が、タッチパネル端末１に転送されて保存され、タッチパネル１１が表面に装着されたディスプレイ１０６に一部（即ち、文字１，２）表示されている。
【００３９】
ここで、図４（ｂ）に示すように、ユーザによるＤＯＷＮイベントが座標位置Ｐ１において検出された後に所定時間ｔ１以上ＵＰイベントが検出されないまま、接触ポイント（即ち、ユーザによってタッチされている接触点）が座標位置Ｐ２まで移動したとする。この座標位置Ｐ１から座標位置Ｐ２までの移動量ｄ１が所定閾値Ｔ１以下である場合に、継続判定部１２は、長押しイベントが発生したと判定する。
【００４０】
そして、継続タッチ表示部１３は、図４（ｃ）に示すように、最初にＤＯＷＮイベントが行なわれた座標位置Ｐ１を含む（又は、座標位置Ｐ１を中心とした）所定領域の画像を縮小表示するように表示範囲を変更してディスプレイ１０６において表示する。
【００４１】
（４）拡大表示処理の詳細
引き続き、連続タッチ表示部１５による拡大表示処理の詳細について、図５を用いて説明する。図５は、連続判定部１４による拡大表示処理の詳細を説明するための処理説明図である。まず、図５（ａ）に示すように、遠隔端末２の大型ディスプレイ２１において表示される画面の内容に関する情報（即ち、文字１〜１０）が、タッチパネル端末１に転送されて保存され、タッチパネル１１が表面に装着されたディスプレイ１０６に全て（即ち、文字１〜１０）表示されている。
【００４２】
ここで、図５（ｂ）に示すように、ユーザによる一回目のＤＯＷＮイベントが座標位置Ｑ１において検出され、この後にＵＰイベントが検出された後に所定時間ｔ２以内に二回目のＤＯＷＮイベントが座標位置Ｑ２において検出されたとする。この座標位置Ｑ１から座標位置Ｑ２までの移動量ｄ２が所定閾値Ｔ２以下である場合に、連続判定部１４は、ダブルタップイベントが発生したと判定する。
【００４３】
そして、連続タッチ表示部１５は、図５（ｃ）に示すように、一回目のＤＯＷＮイベントが行なわれた座標位置Ｑ１を含む（又は、座標位置Ｑ１を中心とした）所定領域の画像を拡大表示するように表示範囲を変更してディスプレイ１０６において表示する。
【００４４】
（５）タッチパネルと大型ディスプレイとの座標の対応関係
引き続き、タッチパネル１１における位置座標と大型ディスプレイ２１における位置座標との対応関係について、図６を用いて説明する。図６は、この対応関係を説明するための説明図である。まず、タッチパネル１１における接触ポイントの位置Ｐ１１の位置座標を、タッチパネル１１において互いに直行するｘ軸及びｙ軸を用いて表せるｘ−ｙ座標において（ｘ０，ｙ０）とする。
【００４５】
また、このｘ−ｙ座標の原点Ｐ１０に対応する大型ディスプレイ２１における位置Ｐ２０の位置座標を、大型ディスプレイ２１において互いに直行するＸ軸及びＹ軸を用いて表せて位置Ｐ００を原点とするＸ−Ｙ座標において（ｘ１，ｙ１）とする。
【００４６】
更に、上記のｘ−ｙ座標における位置Ｐ１１に対応する大型ディスプレイ２１における位置Ｐ２１の位置座標を、位置Ｐ２０を原点とするＸ−Ｙ座標において（ｘ２，ｙ２）とする。
【００４７】
このとき、位置Ｐ００を原点とするＸ−Ｙ座標における位置Ｐ２１の位置座標（Ｘ，Ｙ）は、以下の数式（１）及び数式（２）に示すように、位置Ｐ００を原点とするＸ−Ｙ座標における位置Ｐ２０の位置座標（ｘ１，ｙ１）と、位置Ｐ１０を原点とするｘ−ｙ座標における位置Ｐ１１の位置座標（ｘ０，ｙ０）とを用いて算出される、という対応関係がある。
【数１】
2011022851.tif 000003
【数２】
2011022851.tif 000004
【００４８】
ここで、数式（１）及び数式（２）におけるαは、タッチパネル１１における任意の線分の長さを何倍に拡大すれば大型ディスプレイ２１において対応する線分の長さと等しくなるかを示す拡大率であり、等倍の場合の拡大率は１である。この拡大率αは、タッチパネル端末１内部に記憶され、変更設定が可能な数値である。
【００４９】
（６）操作の切り替え方法
引き続き、所定領域の画像の拡大表示や縮小表示といった表示範囲の変更処理を行う際のユーザによる操作と、ユーザによるその他の操作とを切り替える場合の方法について、図７を用いて説明する。図７は、ユーザによるこれらの操作の切り替え方法を説明するための説明図である。
【００５０】
まず、図７（ａ）に示すように、タッチパネル１１が表面に装着されたディスプレイ１０６の画面右下に、画面スクロール操作モードに切り替えるための画面スクロール操作モード切替用アイコンＳが表示されている場合について説明する。このアイコンＳが表示されている間は、マウスポインタＰが有効になったマウス操作モードが開始されている。マウス操作モードの間は、上記の拡大表示や縮小表示といった画像表示処理の実施や、拡大表示や縮小表示された画面上でのマウスポインタＰを用いたマウス操作が可能になる。例えば、ＤＯＷＮイベントはユーザが利用中のマウスの左クリックのオン操作に対応させ、ＭＯＶＥイベントはマウスのドラッグ操作に対応させ、ＵＰイベントはマウスの左クリックのオフ操作に対応させる態様としてもよい。画面スクロール操作モードに切り替えるには、上記のアイコンＳに対する、ユーザによるＤＯＷＮイベント及びＵＰイベントが行なわれればよい。
【００５１】
また、図７（ｂ）に示すように、タッチパネル１１が表面に装着されたディスプレイ１０６の画面右下に、マウス操作モードに切り替えるためのマウス操作モード切替用アイコンＭが表示されている場合について説明する。このアイコンＭが表示されている間は、画面スクロール操作モードが開始されている。画面スクロール操作モードの間は、画面の上下方向や左右方向のスクロールの実施が可能になる。マウス操作モードに切り替えるには、上記のアイコンＭに対する、ユーザによるＤＯＷＮイベント及びＵＰイベントが行なわれればよい。
【００５２】
また、図７（ｃ）に示すように、タッチパネル１１が表面に装着されたディスプレイ１０６の画面右下に、キーボード入力を行なう際に用いられるキーボード入力用アイコンＫが表示されている場合について説明する。このキーボード入力用アイコンＫに対して、ユーザによるＤＯＷＮイベント及びＵＰイベントが行なわれると、画面上のキーボードＫＢが有効になったキーボード入力モードが開始され、キーボード入力の実施が可能になる。
【００５３】
（７）タッチパネル端末における更新処理の流れ
引き続き、画像処理システム１００のタッチパネル端末１における画像処理の流れについて、図８を用いて説明する。図８は、タッチパネル端末１における画像処理の流れを説明するためのフローチャートである。図８のフローチャートに示される画像処理は、主としてＣＰＵ１０１によって行われるものであり、タッチパネル端末１の電源がオンされてからオフされるまでの間、所定のタイミングで繰り返し実行される。
【００５４】
最初に、第一例として、長押しイベントが発生して縮小表示処理が行われる態様について説明する。
【００５５】
まず、継続判定部１２が、タッチパネル１１に対するユーザによるタッチオン入力としてのＤＯＷＮイベントを検出する（ステップＳ０１）。次に、継続判定部１２が、特定のイベントとしての長押しイベントが発生したか否かを判定する（ステップＳ０２、継続判定ステップ）。特定のイベントとしての長押しイベントは発生しなかったと判定された場合は、一連の処理は終了する。一方、特定のイベントとしての長押しイベントは発生したと判定された場合は、後述のステップＳ０３に移行する。
【００５６】
ステップＳ０３では、継続タッチ表示部１３が、ステップＳ０１においてＤＯＷＮイベントが行なわれた座標位置を中心とした所定領域の画像を縮小表示することによって、特定の表示処理としてのズームアウト処理を実施する（継続イベント表示ステップ）。
【００５７】
次に、第二例として、ダブルタップイベントが発生して拡大表示処理が行われる態様について説明する。
【００５８】
まず、連続判定部１４が、タッチパネル１１に対するユーザによるタッチオン入力としての一回目のＤＯＷＮイベントを検出する（ステップＳ０１）。次に、連続判定部１４が、特定のイベントとしてのダブルタップイベントが発生したか否かを判定する（ステップＳ０２、連続判定ステップ）。特定のイベントとしてのダブルタップイベントは発生しなかったと判定された場合は、一連の処理は終了する。一方、特定のイベントとしてのダブルタップイベントは発生したと判定された場合は、後述のステップＳ０３に移行する。
【００５９】
ステップＳ０３では、連続タッチ表示部１５が、ステップＳ０１において一回目のＤＯＷＮイベントが行なわれた座標位置を中心とした所定領域の画像を拡大表示することによって、特定の表示処理としてのズームイン処理を実施する（連続イベント表示ステップ）。
【００６０】
（８）本発明による作用及び効果
引き続き、本発明による作用及び効果について説明する。本発明に係るディスプレイ端末としてのタッチパネル端末１は、タッチパネル１１に対するユーザによる長押しイベントが発生したと判定された場合に、最初にＤＯＷＮイベントが行なわれた座標位置を中心とした所定領域の画像を縮小表示する。このように、ユーザにとって比較的容易に実行可能な長押しイベントの発生によって、縮小表示といった表示範囲を変更する画像処理が容易に行われるため、直感的な表示変更操作が可能になってユーザにとっての利便性を高めることができる。
【００６１】
また、タッチパネル端末１は、最初のＤＯＷＮイベントを検出した後のこのＤＯＷＮイベントの移動量ｄ１が所定閾値Ｔ１以下である場合に、長押しイベントが発生したと判定される。このため、長押しイベント中にタッチオン入力の移動が多少生じてしまっても長押しイベントが発生したと判定される。この結果、長押しイベントがより容易になるため、利便性を更に高めることができる。
【００６２】
また、本発明に係るディスプレイ端末としてのタッチパネル端末１は、タッチパネル１１に対するユーザによるダブルタップイベントが発生したと判定された場合に、一回目のＤＯＷＮイベントが行なわれた座標位置を中心とした所定領域の画像を拡大表示する。このように、ユーザにとって比較的容易に実行可能なダブルタップイベントの発生によって、拡大表示といった表示範囲を変更する画像処理が容易に行われるため、直感的な表示変更操作が可能になってユーザにとっての利便性を高めることができる。
【００６３】
また、タッチパネル端末１は、一回目のＤＯＷＮイベントから二回目のＤＯＷＮイベントまでの移動量ｄ２が所定閾値Ｔ２以下である場合に、ダブルタップイベントが発生したと判定される。このため、所定時間以内にＤＯＷＮイベントが二回行われた際にタッチオン入力の移動が多少生じてしまっても長押しイベントが発生したと判定される。この結果、長押しイベントがより容易になるため、利便性を更に高めることができる。
【００６４】
また、画像処理システム１００が備えるタッチパネル端末１は、遠隔端末２において表示される画面について画像表示処理を行ってディスプレイ１０６において表示する。このため、遠隔端末２において表示される画面について、タッチパネル端末１によって、拡大表示や縮小表示といった画像表示処理が行われてディスプレイ１０６において表示されるため、遠隔端末２において表示される画面に関してユーザによる全体の把握や詳細部分の確認が可能になってユーザにとっての利便性を高めることができる。
【００６５】
（９）変形例
上記の実施例では、長押しイベントが発生すると縮小表示処理が行われるとともに、ダブルタップイベントが発生すると拡大表示処理が行われる構成であるとして説明したが、各イベントで行なわれる画像処理は特に限定されず、例えば、長押しイベントが発生すると拡大表示処理が行われるとともに、ダブルタップイベントが発生すると縮小表示処理が行われる構成であるとしてもよい。
【産業上の利用可能性】
【００６６】
本発明によれば、表示範囲を変更する画像処理を容易に行なって利便性を高めることが可能なディスプレイ端末、画像処理システム、及び画像処理方法を提供することができる。
【符号の説明】
【００６７】
１…タッチパネル端末、２…遠隔端末、１１…タッチパネル、１２…継続判定部、１３…継続タッチ表示部、１４…連続判定部、１５…連続タッチ表示部、２１…大型ディスプレイ、１００…画像処理システム、１０１…ＣＰＵ、１０２…ＲＡＭ、１０３…ＲＯＭ、１０４…通信モジュール、１０５…補助記憶装置、１０６…ディスプレイ、ｄ１，ｄ２…移動量、Ｋ…キーボード入力用アイコン、ＫＢ…キーボード、Ｍ…マウス操作モード切替用アイコン、ＮＷ…ネットワーク、Ｐ…マウスポインタ、Ｐ００，Ｐ１０，Ｐ１１，Ｐ２０，Ｐ２１…位置、Ｐ１，Ｐ２，Ｑ１，Ｑ２…座標位置、Ｐ１０…原点、Ｓ…画面スクロール操作モード切替用アイコン、ＳＢ…スクロールバー。
【図１】
2011022851.tif 000005
【図２】
2011022851.tif 000006
【図３】
2011022851.tif 000007
【図４】
2011022851.tif 000008
【図５】
2011022851.tif 000009
【図６】
2011022851.tif 000010
【図７】
2011022851.tif 000011
【図８】
2011022851.tif 000012